(57)【要約】【課題】使用環境に必ずしも磁性体が存在する必要はなく、また、使用後においては、テストリードを収納することができ、極めて利便性が良く、テストリードにストレスを掛けることもないテスタを提供する。【解決手段】テスタ本体２にテストリード３（３Ａ、３Ｂ）が固定的に或いは取り外し自在に接続されたテスタ１において、テスタ本体２にテストリード３（３Ａ、３Ｂ）を収納するテストリード収納部１０を備えており、テストリード収納部１０は、一端がテスタ本体２に取り付けられ、他端に係止部材１１が取り付けられている。【選択図】図１
2010164493.tif 000002
【特許請求の範囲】
【請求項１】
テスタ本体にテストリードが固定的に或いは取り外し自在に接続されたテスタにおいて、
前記テスタ本体に前記テストリードを収納するテストリード収納部を備えており、
前記テストリード収納部は、一端が前記テスタ本体に取り付けられ、他端に係止部材が取り付けられた収納部材であって、
テスタ不使用時には、前記テスタ本体と前記収納部材との間に前記テストリードを収納し、前記係止部材を前記テスタ本体に着脱自在に係止することによって、前記テストリードを前記テスタ本体と一体的に保持し、
テスタ使用時には、前記係止部材を、前記テストリードを取り出した後の前記テスタ本体を前記テスタ本体以外の他の物に係止するために使用する、
収納部材を有することを特徴とするテスタ。
【請求項２】
前記収納部材は、伸縮性のある素材で作製したシート材であることを特徴とする請求項１に記載のテスタ。
【請求項３】
前記係止部材は、弾性材料で作製したフック部材であることを特徴とする請求項１又は２に記載のテスタ。
【請求項４】
前記係止部材は、面ファスナーであることを特徴とする請求項１又は２に記載のテスタ。
【発明の詳細な説明】
【技術分野】
【０００１】
本発明は、例えば、測定切替スイッチにより電圧、電流、電気抵抗等の測定が可能であり、測定結果をデジタル表示部により表示するデジタルマルチメータのようなテスタに関するものである。
【背景技術】
【０００２】
従来、例えば、測定切替スイッチにより電圧、電流、電気抵抗等の測定が可能であり、測定結果をデジタル表示部により表示するデジタルマルチメータのようなテスタが広く使用されている。テスタの一例を、本願添付の図６に示す。
【０００３】
本例に示すように、通常、テスタ１は、テスタ本体２と、テスタ本体２に接続された一対のテストリード３（３Ａ、３Ｂ）とにて構成される。テスタ本体２には、測定切替スイッチ４及びデジタル表示部５などが設けられている。
【０００４】
ユーザは、テスタ１を使用するに際して、テスタ本体２に設けられた、本例ではロータリスイッチとされる測定切替スイッチ４を回して、測定対象、即ち、ファンクションを設定する。
【０００５】
その後、測定に際しては、一般に、ユーザは、テスタ本体２を安定したテーブル等に置き、テストリード３（３Ａ、３Ｂ）をそれぞれの手に持って、被測定物に接触させて測定する。
【０００６】
ところが、テスタ本体２を置く安定した場所が見当たらない場合は、他の人の手助けを必要とすることとなる。
【０００７】
また、テスタ使用後においては、テスタ１は、テスタ本体２とテストリード３（３Ａ、３Ｂ）とを一緒にして所定の収納場所に保管されるが、その際に、テストリード３（３Ａ、３Ｂ）は、テスタ本体２に単に巻き付けられていることが多い。
【０００８】
そこで、特許文献１に開示するテスタは、図７に示すように、テスタ１の本体２の裏壁を非磁性材で構成し、裏壁の内側に磁石１００を取り付け、テスタ使用時においては、テスタ本体２を磁性体１００の他の物に吸着保持可能な構成とされる。また、テスタ不使用時には、テストリード３（３Ａ、３Ｂ）は、リード線３０（３０Ａ、３０Ｂ）をテスタ本体２の側壁周囲に形成した溝状の段差１０１内に巻き込み、プローブ３１（３１Ａ、３１Ｂ）は、プローブ３１（３１Ａ、３１Ｂ）に形成したフランジ状止め部３２（３２Ａ、３２Ｂ）を側壁周縁部に形成した切り欠き１０２にはめ込み収容する構成とされている。
【先行技術文献】
【特許文献】
【０００９】
【特許文献１】特開２００８−６４６１１号公報
【発明の概要】
【発明が解決しようとする課題】
【００１０】
しかしながら、特許文献１に記載のテスタでは、プローブ３１（３１Ａ、３１Ｂ）に形成したフランジ状止め部３２（３２Ａ、３２Ｂ）を側壁周縁部に形成した切り欠き１０２にはめ込むため、テストリード３（３Ａ、３Ｂ）を側壁周縁部にしっかりと巻く必要がある。
【００１１】
従って、テストリード３（３Ａ、３Ｂ）を側壁周縁部にしっかりと巻く煩わしさと、また、しっかりと巻くことにより、テストリード３（３Ａ、３Ｂ）にストレスを掛け、断線させる原因となる。
【００１２】
そこで、本発明の目的は、使用環境に必ずしも磁性体が存在する必要はなく、また、使用後においては、テストリードを収納することができ、極めて利便性が良く、テストリードにストレスを掛けることもないテスタを提供することである。
【００１３】
また、本発明の他の目的は、構造が簡易で、製造コストも安価であるテスタを提供することである。
【課題を解決するための手段】
【００１４】
上記目的は本発明に係るテスタにて達成される。要約すれば、本発明は、テスタ本体にテストリードが固定的に或いは取り外し自在に接続されたテスタにおいて、
前記テスタ本体に前記テストリードを収納するテストリード収納部を備えており、
前記テストリード収納部は、一端が前記テスタ本体に取り付けられ、他端に係止部材が取り付けられた収納部材であって、
テスタ不使用時には、前記テスタ本体と前記収納部材との間に前記テストリードを収納し、前記係止部材を前記テスタ本体に着脱自在に係止することによって、前記テストリードを前記テスタ本体と一体的に保持し、
テスタ使用時には、前記係止部材を、前記テストリードを取り出した後の前記テスタ本体を前記テスタ本体以外の他の物に係止するために使用する、
収納部材を有することを特徴とするテスタである。
【００１５】
本発明の一実施態様によれば、前記収納部材は、伸縮性のある素材で作製したシート材である。
【００１６】
本発明の他の態様によれば、前記係止部材は、弾性材料で作製したフック部材である。
【００１７】
本発明の他の態様によれば、前記係止部材は、面ファスナーである。
【発明の効果】
【００１８】
本発明のテスタは、使用環境に必ずしも磁性体が存在する必要はなく、また、使用後においては、テストリードを簡単に収納することができ、極めて利便性が良く、テストリードにストレスを掛けることもない。また、構造が簡易で、製造コストも安価である。
【図面の簡単な説明】
【００１９】
【図１】本発明に係るテスタの一実施例の概略構成を示す斜視図である。
【図２】本発明の一実施例におけるテストリードを収納した状態を示すテスタの側面図である。
【図３】本発明の一実施例におけるテスタの使用状態を示すテスタの斜視図である。
【図４】図４（ａ）は、本発明の他の実施例におけるテスタの使用状態を示すテスタの斜視図であり、図４（ｂ）及び図４（ｃ）は、係止部材の係止態様を示す側面図である。
【図５】本発明の他の実施例におけるテストリードを収納した状態を示すテスタの側面図である。
【図６】従来のテスタの一例を示す図である。
【図７】従来のテスタの他の例を示す図である。
【発明を実施するための形態】
【００２０】
以下、本発明に係るテスタを図面に則して更に詳しく説明する。
【００２１】
実施例１
図１及び図２を参照して、本発明に係るテスタの一実施例について説明する。テスタは、例えば、測定切替スイッチにより電圧、電流、電気抵抗等の測定が可能であり、測定結果をデジタル表示部により表示するデジタルマルチメータなどとされる。
【００２２】
図１にて、本実施例のテスタ１は、テスタ本体２と、テスタ本体２から延びた一対のテストリード３（３Ａ、３Ｂ）とを備えている。
【００２３】
テスタ本体２には、テスタ本体２の表面側に、測定対象を切り替えるための測定切替スイッチ、例えば、図６に示す従来のテスタと同様に、ロータリスイッチ４を備えており、ロータリスイッチ４を「ＯＦＦ」位置から、「ＡＣＶ」位置、或いは、「ＤＣＶ」位置へと回し、ファンクションを設定することができる。又、測定結果を表示するための表示部５が設けられている。
【００２４】
図１を参照すると、各テストリード３（３Ａ、３Ｂ）は、それぞれ、一端がテスタ本体２の電気回路部（図示せず）に接続されたプローブケーブル３０（３０Ａ、３０Ｂ）と、プローブケーブル３０（３０Ａ、３０Ｂ）の他端にそれぞれ接続された測定プローブ３１（３１Ａ、３１Ｂ）とにて構成される。
【００２５】
プローブケーブル３０（３０Ａ、３０Ｂ）は、テスタ本体２に対して取り外し自在に差し込まれる接続端子方式でも良く、テスタ本体２に対して固定的に接続された固定式のものでも良い。
【００２６】
本発明のテスタ１は、テスタ本体２の前記表面側とは反対側、即ち、裏面側に、テストリード収納部１０を備えている。
【００２７】
図１に示す実施例では、テストリード収納部１０は、矩形状のシート材にて形成された収納部材１１を備えている。シート材は、例えば、織物、ニット、不織布などの伸縮性のある素材（ストレッチ生地）を好適に使用することができる。また、網状（ネット）部材とすることもできる。
【００２８】
収納部材１１は、本実施例では、その上端の縁部１１ａが、テスタ本体２の裏面の上端部２ａ、或いは、その近傍に接着、或いは、溶着などにより固定される。また、収納部材１１の、本実施例では、下端の縁部１１ｂには、係止部材１２が取り付けられる。
【００２９】
係止部材１２は、任意の構造とし得るが、本実施例では、フック部材１３とされる。フック部材１３は、開口部１３ａが形成されＵ字状とされた、金属又はプラスチック部材などとされる弾性材料で作製される。フック部材１３は、図２に示すように、その開口部１３ａをテスタ本体２の下端部２ｂに、弾発的に装着することにより着脱自在に取り付け可能とされる。
【００３０】
本発明によれば、テスタ不使用時には、測定プローブ３１（３１Ａ、３１Ｂ）と、プローブケーブル３０（３０Ａ、３０Ｂ）とは、例えば、測定プローブ３１（３１Ａ、３１Ｂ）にプローブケーブル３０（３０Ａ、３０Ｂ）を巻き付けて束ねることにより、テスト本体２の裏面側に配置し、その後、収納部材１１で覆うようにして収納し、図２に示すように、フック部材１３をテスタ本体２の下端部２ｂに弾発的に装着する。このとき、収納部材１１は、伸縮性を有しているようにすれば、テストリード３（３Ａ、３Ｂ）が所定の力でテスタ本体裏面側に押圧され、テスタ本体裏面にしっかりと一体的に保持される。
【００３１】
これによって、テストリード３（３Ａ、３Ｂ）は、テスタ本体２の裏面側に設けた収納部材１１によって収納部１０にコンパクトに収納保持される。
【００３２】
本実施例によれば、テストリード３（３Ａ、３Ｂ）は、収納部材１１にてテスタ本体裏面に保持するだけであるために、本実施例のテスタ１は、背景技術で説明した従来例の本体側面に巻き付ける構造に比べれば、収納操作が容易である。また、テストリード３（３Ａ、３Ｂ）にストレスを掛けることもない。
【００３３】
テスタ使用時には、フック部材１３をテスタ本体２から外し、収納部材１１を上方へと持ち上げることにより、テストリード３（３Ａ、３Ｂ）をテスタ本体２から取り出すことができる。
【００３４】
テスタ本体２の電源をＯＮとし、テスタ本体２を置くべき適当な場所がない場合には、図３に示すように、収納部材１１のフック部材１３を、使用場所近傍に位置したテスト本体以外の他の物、例えばロッド材２００などに引っ掛ける。
【００３５】
本実施例のテスタ１は、上述のように、使用環境に必ずしも磁性体が存在する必要はない。勿論、フック部材１３を磁石材にて作製しても良く、この場合には、使用環境に磁性体が存在すれば、磁力にてテスタ１の保持を可能とすることもできる。
【００３６】
また、使用後においては、テストリード３（３Ａ、３Ｂ）を簡単に収納することができ、極めて利便性が良い。また、テストリード３（３Ａ、３Ｂ）にストレスを掛けることもない。更に、構造が簡易で、製造コストも安価である。
【００３７】
実施例２
図４及び図５に本発明に係るテスタ１の他の実施例を示す。
【００３８】
本実施例にて、テスタ１の全体構成は、実施例１のテスタ１と同様であるので、同じ構成、機能をなす部材には、同じ参照番号を付し、実施例１の説明を援用し、ここでの再度の説明は省略する。以下に、本実施例の特徴をなす、係止部材１２の構成について説明する。
【００３９】
本実施例では、係止部材１２としてフック部材１３の代わりに、雄型突起、雌型突起からなる面ファスナー（所謂、マジックテープ：登録商標）１４を使用する。
【００４０】
つまり、図４（ａ）、（ｂ）に示すように、例えば雄型突起を備えた面ファスナー１４を、例えば、細長帯状に形成し、その一端１４ａを収納部材１１の自由端側１１ｂに取り付ける。
【００４１】
一方、例えば雌型突起を備えた所定形状、寸法の面ファスナー１５を、面ファスナー１４と係止し得るように、収納部材１１の自由端側１１ｂの表側面、或いは、裏側面、又は、両面の、一部所定領域に取り付ける。又は、収納部材１１の全面を面ファスナー１５とすることもできる。
【００４２】
更に、テスタ本体２の下端側２ｂの所定領域に、本実施例では、図４（ａ）に示すように、テスタ本体２の表面側に、面ファスナー１４と係止し得るように、例えば雌型突起を備えた所定形状、寸法の面ファスナー１６を設ける。
【００４３】
上記構成により、本実施例のテスタ１によれば、テスタ不使用時には、テストリード３（３Ａ、３Ｂ）は、図５に示すように、実施例１の場合と同様に、測定プローブ３１（３１Ａ、３１Ｂ）と、プローブケーブル３０（３０Ａ、３０Ｂ）とを、例えば、測定プローブ３１（３１Ａ、３１Ｂ）にプローブケーブル３０（３０Ａ、３０Ｂ）を巻き付けて束ねることにより、テスト本体の裏面側に配置し、その後、収納部材１１で覆うようにして収納し、面ファスナー１４をテスタ本体２の下端部２ｂの面ファスナー１６に押し付けて取り付ける。面ファスナー１４の面ファスナー１６に対する取り付け位置を加減することにより、テストリード３（３Ａ、３Ｂ）が所定の力でテスタ本体裏面側に押圧され、テスタ本体裏面にしっかりと一体的に保持される。
【００４４】
これによって、テストリード３（３Ａ、３Ｂ）は、テスタ本体２の裏面側に設けた収納部材１１によって収納部１０にコンパクトに収納保持される。
【００４５】
本実施例にてテストリード３（３Ａ、３Ｂ）は、収納部材１１にてテスタ本体裏面に保持するだけであるために、本実施例のテスタ１は、背景技術で説明した従来例の本体側面に巻き付ける構造に比べれば、収納操作が容易である。また、テストリード３（３Ａ、３Ｂ）にストレスを掛けることもない。
【００４６】
テスタ使用時には、面ファスナー１４をテスタ本体２から外し、収納部材１１を上方へと持ち上げることにより、テストリード３（３Ａ、３Ｂ）をテスタ本体２から取り出すことができる。
【００４７】
テスタ本体２の電源をＯＮとし、テスタ本体２を置くべき適当な場所がない場合には、図４（ａ）に示すように、収納部材１１の面ファスナー１４を使用場所近傍に位置したロッド材２００などに巻き付け、その後、面ファスナー１４を、テスタ本体２に設けた面ファスナー１５に押し付けて取り付ける。
【００４８】
勿論、面ファスナー１４自体が接合可能の場合には、図４（ｃ）に示すように、ロッド材などに巻き付けた後は、重ね合わせられた面ファスナー１４を互いに押し付けることによって、テスタ本体２を他の物に取り付けることができる。この構成とする場合には、テスタ本体２の面ファスナー１５は省くこともできる。
【００４９】
本実施例においても、テスタ１は、使用環境に必ずしも磁性体が存在する必要はない。また、使用後においては、テストリードを簡単に収納することができ、極めて利便性が良く、テストリードにストレスを掛けることもない。また、構造が簡易で、製造コストも安価である。
【符号の説明】
【００５０】
１                    テスタ
２                    テスタ本体
３（３Ａ、３Ｂ）      テストリード
４                    測定切替スイッチ
５                    表示部
１０                  テストリード収納部
１１                  収納部材
１２                  係止部材
１３                  フック部材
１４、１５、１６      面ファスナー
【図１】
2010164493.tif 000003
【図２】
2010164493.tif 000004
【図３】
2010164493.tif 000005
【図４】
2010164493.tif 000006
【図５】
2010164493.tif 000007
【図６】
2010164493.tif 000008
【図７】
2010164493.tif 000009